(57)【要約】【課題】ユーザがある場に留まっているときには、着信音の音量を増加させず、ユーザが移動中であり、かつ雑音が多い場合に、着信音の音量を増加させる。【解決手段】状態判定部５１０は、音量判定部５０７によって周囲音量が所定の音量閾値を超えたと判定され、かつ着信部５０１が呼を受け付けた後に加速度判定部５０９によって加速度が所定の加速度閾値を超えたと判定された回数が所定回数以上となったときに、着信音の聞き取りが困難な状態であると判定する。そして、音量制御部５１２は、状態判定部５１０によって着信音の聞き取りが困難な状態であると判定されたときに着信音の音量を増加させる。【選択図】図２
2012065133.tif 000002
【特許請求の範囲】
【請求項１】
他の装置からの呼を受け付ける着信部と、
着信部が呼を受け付けたときに、着信を通知する着信音をスピーカから再生させる再生部と、
自装置の加速度が所定の加速度閾値以上であるか否かを判定する加速度判定部と、
周囲音量が所定の音量閾値以上であるか否かを判定する音量判定部と、
前記音量判定部によって周囲音量が所定の音量閾値以上であると判定され、かつ前記着信部が呼を受け付けた後に前記加速度判定部によって加速度が所定の加速度閾値以上であると判定された回数が所定回数以上となったときに、前記着信音の聞き取りが困難な状態であると判定する状態判定部と、
前記状態判定部が前記着信音の聞き取りが困難な状態であると判定したときに前記着信音の音量を増加させる音量制御部と
を備えることを特徴とする携帯電話機。
【請求項２】
自装置の周囲の明度が所定の明度閾値以下であるか否かを判定する明度判定部と
を備え、
前記状態判定部は、
前記明度判定部によって明度が所定の明度閾値以下であると判定され、前記音量判定部によって周囲音量が所定の音量閾値を超えたと判定され、かつ前記着信部が呼を受け付けた後に前記加速度判定部によって加速度が所定の加速度閾値を超えたと判定された回数が所定回数以上となった場合に、前記着信音の聞き取りが困難な状態であると判定する
ことを特徴とする請求項１に記載の携帯電話機。
【請求項３】
前記音量制御部は、
前記状態判定部が前記着信音の聞き取りが困難な状態であると判定した時から所定の時間が経過した後に、前記着信音の音量を増加させる
ことを特徴とする請求項１または請求項２に記載の携帯電話機。
【請求項４】
前記音量制御部が前記着信音の音量を増加させた時から所定の時間が経過した後に、前記着信音の種類を変更する着信音変更部を備えることを特徴とする請求項１から請求項３の何れか１項に記載の携帯電話機。
【請求項５】
前記音量制御部は、所定の時間の経過毎に前記着信音の音量を増加させることを特徴とする請求項１から請求項４の何れか１項に記載の携帯電話機。
【請求項６】
携帯電話機を用いた着信音制御方法であって、
着信部は、他の装置からの呼を受け付け、
再生部は、前記着信部が呼を受け付けたときに、着信を通知する着信音をスピーカから再生させ、
加速度判定部は、自装置の加速度が所定の加速度閾値を超えたか否かを判定し、
音量判定部は、周囲音量が所定の音量閾値を超えたか否かを判定し、
状態判定部は、前記音量判定部によって周囲音量が所定の音量閾値を超えたと判定され、かつ前記着信部が呼を受け付けた後に前記加速度判定部によって加速度が所定の加速度閾値を超えたと判定された回数が所定回数以上となったときに、前記着信音の聞き取りが困難な状態であると判定し、
音量制御部は、前記状態判定部が前記着信音の聞き取りが困難な状態であると判定したときに前記着信音の音量を増加させる
ことを特徴とする着信音制御方法。
【請求項７】
携帯電話機を、
他の装置からの呼を受け付ける着信部、
着信部が呼を受け付けたときに、着信を通知する着信音をスピーカから再生させる再生部、
自装置の加速度が所定の加速度閾値を超えたか否かを判定する加速度判定部、
周囲音量が所定の音量閾値を超えたか否かを判定する音量判定部、
前記音量判定部によって周囲音量が所定の音量閾値を超えたと判定され、かつ前記着信部が呼を受け付けた後に前記加速度判定部によって加速度が所定の加速度閾値を超えたと判定された回数が所定回数以上となったときに、前記着信音の聞き取りが困難な状態であると判定する状態判定部、
前記状態判定部が前記着信音の聞き取りが困難な状態であると判定したときに前記着信音の音量を増加させる音量制御部
として機能させるためのプログラム。
【発明の詳細な説明】
【技術分野】
【０００１】
本発明は、着信時に着信音を再生させる携帯電話機、着信音制御方法、及びプログラムに関する。
【背景技術】
【０００２】
ユーザは、携帯電話機をバッグの中に入れた状態で、デパートで買い物をしたり、交通量の多い道路を歩いていたり、雑音環境下で作業を行ったりすることがある。このとき、バッグに入れた携帯電話機に着信があったとしても、着信を知らせる着信音にユーザが気付かず、応答できないという問題がある。
このような問題を解決する方法として、特許文献１や特許文献２には、周囲の環境に応じて着信音の音量を変化させる方法が開示されている。
【０００３】
特許文献１によると、携帯電話機は、携帯電話機の周囲の明るさ及び自然雑音の有無を判定する。そして、周囲が暗く、自然雑音がない場合、携帯電話機は、バッグやポケットの中に収納されていると判断し、着信音の低音成分を増加させる。これにより、バッグやポケットの中に収納されている場合にも、ユーザに着信を知らせることができる。
【０００４】
特許文献２によると、携帯電話機は、携帯電話機の周囲の明度及び周囲の音量を検出し、明度が閾値より低い場合（即ち、携帯電話機がバッグやポケットの中に収納されている場合）、または周囲の音量が閾値より大きい場合（即ち、携帯電話機が雑音の多い環境下にある場合）に、着信音の音量を増加させる。これにより、携帯電話機は、周囲の環境に応じた音量でユーザに着信を知らせることができる。
【先行技術文献】
【特許文献】
【０００５】
【特許文献１】特開平１１−０６８８８８号公報
【特許文献２】特開２００８−１７７６３５号公報
【発明の概要】
【発明が解決しようとする課題】
【０００６】
ところで、ユーザがコンサート会場にいて携帯電話機の電源を切り忘れた場合など、ユーザがある場に留まっているときは、携帯電話機の着信音が大音量で鳴ることは好ましくないことが多い。しかしながら、特許文献１、２に記載の方法を用いた場合、このような環境化にあっても携帯電話機から大音量の着信音が発せられることとなってしまう。
【課題を解決するための手段】
【０００７】
本発明は上記の課題を解決するためになされたものであり、他の装置からの呼を受け付ける着信部と、着信部が呼を受け付けたときに、着信を通知する着信音をスピーカから再生させる再生部と、自装置の加速度が所定の加速度閾値以上であるか否かを判定する加速度判定部と、周囲音量が所定の音量閾値以上であるか否かを判定する音量判定部と、前記音量判定部によって周囲音量が所定の音量閾値以上であると判定され、かつ前記着信部が呼を受け付けた後に前記加速度判定部によって加速度が所定の加速度閾値以上であると判定された回数が所定回数以上となったときに、前記着信音の聞き取りが困難な状態であると判定する状態判定部と、前記状態判定部が前記着信音の聞き取りが困難な状態であると判定したときに前記着信音の音量を増加させる音量制御部とを備えることを特徴とする。
【０００８】
また、本発明は、携帯電話機を用いた着信音制御方法であって、着信部は、他の装置からの呼を受け付け、再生部は、前記着信部が呼を受け付けたときに、着信を通知する着信音をスピーカから再生させ、加速度判定部は、自装置の加速度が所定の加速度閾値を超えたか否かを判定し、音量判定部は、周囲音量が所定の音量閾値を超えたか否かを判定し、状態判定部は、前記音量判定部によって周囲音量が所定の音量閾値を超えたと判定され、かつ前記着信部が呼を受け付けた後に前記加速度判定部によって加速度が所定の加速度閾値を超えたと判定された回数が所定回数以上となったときに、前記着信音の聞き取りが困難な状態であると判定し、音量制御部は、前記状態判定部が前記着信音の聞き取りが困難な状態であると判定したときに前記着信音の音量を増加させることを特徴とする。
【０００９】
また、本発明は、携帯電話機を、他の装置からの呼を受け付ける着信部、着信部が呼を受け付けたときに、着信を通知する着信音をスピーカから再生させる再生部、自装置の加速度が所定の加速度閾値を超えたか否かを判定する加速度判定部、周囲音量が所定の音量閾値を超えたか否かを判定する音量判定部、前記音量判定部によって周囲音量が所定の音量閾値を超えたと判定され、かつ前記着信部が呼を受け付けた後に前記加速度判定部によって加速度が所定の加速度閾値を超えたと判定された回数が所定回数以上となったときに、前記着信音の聞き取りが困難な状態であると判定する状態判定部、前記状態判定部が前記着信音の聞き取りが困難な状態であると判定したときに前記着信音の音量を増加させる音量制御部として機能させるためのプログラムである。
【発明の効果】
【００１０】
本発明によれば、着信後に加速度が所定の加速度閾値を超えた回数が所定回数以上となったときに、着信音の音量を増加させる。これにより、携帯電話機は、ユーザがある場に留まっているときには、着信音の音量を増加させず、ユーザが移動中であり、かつ雑音が多い場合に、着信音の音量を増加させることができる。
【図面の簡単な説明】
【００１１】
【図１】本発明の一実施形態による携帯電話機のハードウェア構成を示す概略ブロック図である。
【図２】本発明の一実施形態による携帯電話機のソフトウェア構成を示す概略ブロック図である。
【図３】携帯電話機の動作を示すフローチャートである。
【発明を実施するための形態】
【００１２】
以下、図面を参照しながら本発明の実施形態について詳しく説明する。
図１は、本発明の一実施形態による携帯電話機１のハードウェア構成を示す概略ブロック図である。
携帯電話機１は、光センサ１００、マイク２００、加速度センサ３００、スピーカ４００、ＣＰＵ５００（Ｃｅｎｔｒａｌ  Ｐｒｏｃｅｓｓｉｎｇ  Ｕｎｉｔ）、メモリ６００、ＲＯＭ７００（Ｒｅａｄ  Ｏｎｌｙ  Ｍｅｍｏｒｙ）を備える。
光センサ１００は、自装置の周囲の光を電気信号に変換し、ＣＰＵ５００に出力する。
マイク２００は、自装置の周囲の音声を電気信号に変換し、ＣＰＵ５００に出力する。
加速度センサ３００は、自装置の加速度を電気信号に変換し、ＣＰＵ５００に出力する。
スピーカ４００は、ＣＰＵ５００から入力した電気信号を音声に変換して出力する。
ＣＰＵ５００は、ＲＯＭ７００からプログラムを読み出し、当該プログラムを実行する。また、ＣＰＵ５００は、マイク２００、光センサ１００、加速度センサ３００から入力した電気信号をプログラムに従って処理する。
メモリ６００は、ＣＰＵ５００の主記憶領域として用いられる。
ＲＯＭ７００は、ＣＰＵ５００に実行させるプログラム、及び複数の着信音データを記憶する。ＲＯＭ７００に記憶されている着信音データには、ＲＯＭ７００が記憶するプログラムの実行に用いる、「人間の耳に届きやすい着信音」が少なくとも含まれる。ここで、「人間の耳に届きやすい着信音」とは、他の着信音と比較して高周波数の波形が多く含まれる着信音である。
【００１３】
図２は、本発明の一実施形態による携帯電話機１のソフトウェア構成を示す概略ブロック図である。
ＣＰＵ５００は、ＲＯＭ７００が記憶するプログラムを実行することで、着信部５０１、着信音決定部５０２（着信音変更部）、再生部５０３、明度測定部５０４、明度判定部５０５、音量測定部５０６、音量判定部５０７、加速度測定部５０８、加速度判定部５０９、状態判定部５１０、計時部５１１、音量制御部５１２を備える。
【００１４】
着信部５０１は、他の装置からの呼を受け付ける（着信する）。
着信音決定部５０２は、着信部５０１が呼を受け付けたときに、ユーザによって予め決められた着信音データをＲＯＭ７００から読み出し、再生部５０３に出力する。また、着信音決定部５０２は、計時部５１１から時間経過通知を入力すると、人間の耳に届きやすい着信音の着信音データをＲＯＭ７００から読み出し、再生部５０３に出力する。ここで、時間経過通知とは、自装置の状態が、着信音の聞き取りが困難な状態となってから所定の時間が経過したことを通知する情報のことである。
再生部５０３は、着信音決定部５０２から入力した着信音データに従って電気信号を生成し、当該電気信号をスピーカ４００に出力することで、着信を通知する着信音をスピーカ４００に再生させる。また、再生部５０３は、音量制御部５１２から音量情報を入力し、スピーカ４００に再生させる着信音の音量を変更する。
【００１５】
明度測定部５０４は、光センサ１００から電気信号を入力し、当該電気信号の大きさから自装置の周囲の明度を測定する。
明度判定部５０５は、明度測定部５０４が測定した明度が所定の明度閾値以下であるか否かを判定する。
音量測定部５０６は、マイク２００から電気信号を入力し、当該電気信号の大きさから自装置の周囲音量を測定する。
音量判定部５０７は、音量測定部５０６が測定した周囲音量が所定の音量閾値以上であるか否かを判定する。
加速度測定部５０８は、加速度センサ３００から電気信号を入力し、当該電気信号の大きさから自装置の加速度を測定する。
加速度判定部５０９は、加速度測定部５０８が測定した加速度が所定の加速度閾値以上であるか否かを判定する。
【００１６】
状態判定部５１０は、加速度判定部５０９が、加速度が所定の加速度閾値以上であると判定した場合、メモリ６００が記憶する加速判定回数に「１」を加算する。なお、加速判定回数とは、着信部５０１が呼を受け付けた後に、加速度判定部５０９によって加速度が所定の加速度閾値以上であると判定した回数を示す値である。また、状態判定部５１０は、明度判定部５０５及び音量判定部５０７の判定結果、並びにメモリ６００が記憶する加速判定回数を用いて、自装置の状態が着信音の聞き取りが困難な状態であるか否かを判定する。
【００１７】
計時部５１１は、状態判定部５１０によって自装置の状態が着信音の聞き取りが困難な状態であると判定された時刻からの経過時間を測定する。また、計時部５１１は、経過時間が第１規定時間を超えた場合、音量制御部５１２に時間経過通知を出力する。また、計時部５１１は、経過時間が第２規定時間を超えた場合、着信音決定部５０２に時間経過通知を出力する。なお、第２規定時間は、第１規定時間より長い時間である。
音量制御部５１２は、計時部５１１から時間経過通知を入力した場合、着信音の音量を示す音量情報を現在の着信音より大きい音量に書き換え、当該音量情報を再生部５０３に出力する。
【００１８】
上記構成を備えることで、携帯電話機１は、以下の動作を実行する。
着信部５０１は、他の装置からの呼を受け付ける。再生部５０３は、着信部５０１が呼を受け付けたときに、着信を通知する着信音をスピーカ４００から再生させる。加速度判定部５０９は、自装置の加速度が所定の加速度閾値を超えたか否かを判定する。音量判定部５０７は、周囲音量が所定の音量閾値を超えたか否かを判定する。
状態判定部５１０は、音量判定部５０７によって周囲音量が所定の音量閾値を超えたと判定され、かつ着信部５０１が呼を受け付けた後に加速度判定部５０９によって加速度が所定の加速度閾値を超えたと判定された回数が所定回数以上となったときに、着信音の聞き取りが困難な状態であると判定する。音量制御部５１２は、状態判定部５１０によって着信音の聞き取りが困難な状態であると判定されたときに着信音の音量を増加させる。
これにより、携帯電話機１は、ユーザがある場に留まっているときには、着信音の音量を増加させず、ユーザが移動中であり、かつ雑音が多い場合に、着信音の音量を増加させる。
【００１９】
次に、本実施形態による携帯電話機１の動作を説明する。
図３は、携帯電話機１の動作を示すフローチャートである。
他の装置が携帯電話機１に呼を発すると、着信部５０１は、当該他の装置からの呼を受け付ける（ステップＳ１）。着信部５０１が呼を受け付けると、着信音決定部５０２は、ＲＯＭ７００からユーザによって予め指定された着信音データを読み出し、当該着信音データを再生部５０３に出力する。次に、再生部５０３は、着信音決定部５０２から入力した着信音データに従って電気信号を生成し、当該電気信号をスピーカ４００に出力する。これにより、スピーカ４００は、ユーザによって指定された着信音を再生する（ステップＳ２）。
【００２０】
次に、加速度測定部５０８は、加速度センサ３００から入力した電気信号から自装置の加速度を測定する（ステップＳ３）。次に、加速度判定部５０９は、加速度測定部５０８が測定した加速度が所定の加速度閾値以上であるか否かを判定する（ステップＳ４）。加速度判定部５０９は、加速度が所定の加速度閾値以上であると判定した場合（ステップＳ４：ＹＥＳ）、状態判定部５１０に加速度が高いことを示す信号を出力する。状態判定部５１０は、加速度判定部５０９から信号を入力すると、メモリ６００が記憶する加速判定回数に１を加算する（ステップＳ５）。
【００２１】
状態判定部５１０が加速判定回数に１を加算した場合、またはステップＳ４で加速度判定部５０９が、加速度が所定の加速度閾値未満であると判定した場合（ステップＳ４：ＮＯ）、状態判定部５１０は、メモリ６００に記憶された加速判定回数が所定の閾値以上であるか否かを判定する（ステップＳ６）。これにより、状態判定部５１０は、携帯電話機１のユーザが移動中であるか否かを判定する。
【００２２】
なお、単に加速度判定部５０９の出力が所定の加速度閾値以上となったときにユーザが移動中であると判定する設計も考えられるが、この場合、偶発的な加速度の発生によってユーザが移動中であると誤判定されてしまう惧れがある。そのため、本実施形態では、加速度判定部５０９の出力が所定の加速度閾値以上となった回数、即ち加速判定回数に基づいて移動中であるか否かの判定を行っている。
状態判定部５１０が、メモリ６００に記憶された加速判定回数が所定の閾値未満であると判定した場合（ステップＳ６：ＮＯ）、ステップＳ３に戻り、加速度の測定を継続する。
【００２３】
他方、状態判定部５１０が、メモリ６００に記憶された加速判定回数が所定の閾値以上であると判定した場合（ステップＳ６：ＹＥＳ）、音量測定部５０６は、マイク２００から入力した電気信号から自装置の周囲音量を測定する（ステップＳ７）。次に、音量判定部５０７は、音量測定部５０６が測定した周囲音量が所定の音量閾値以上であるか否かを判定し（ステップＳ８）、その判定結果を状態判定部５１０に出力する。
状態判定部５１０が音量判定部５０７から入力した判定結果が、周囲音量が所定の音量閾値未満であることを示す場合（ステップＳ８：ＮＯ）、ステップＳ３に戻り、加速度の測定を継続する。
【００２４】
他方、状態判定部５１０が音量判定部５０７から入力した判定結果が、周囲音量が所定の音量閾値以上であることを示す場合（ステップＳ８：ＹＥＳ）、明度測定部５０４は、光センサ１００から入力した電気信号から自装置の周囲の明度を測定する（ステップＳ９）。次に、明度判定部５０５は、明度測定部５０４が測定した明度が所定の明度閾値以下であるか否かを判定し（ステップＳ１０）、状態判定部５１０に出力する。これにより、状態判定部５１０は、携帯電話機１がバッグやポケットの中にあるか否かを判定する。
状態判定部５１０が明度判定部５０５から入力した判定結果が、明度測定部５０４が測定した明度が所定の明度閾値を超えていることを示す場合（ステップＳ１０：ＮＯ）、ステップＳ３に戻り、加速度の測定を継続する。
【００２５】
他方、状態判定部５１０が明度判定部５０５から入力した判定結果が、明度測定部５０４が測定した明度が所定の明度閾値以下であることを示す場合（ステップＳ１０：ＹＥＳ）、状態判定部５１０は、着信音の聞き取りが困難な状態であると判定し、計時部５１１に現在時刻からの経過時間の測定を開始させる（ステップＳ１１）。計時部５１１は、ステップＳ１１からの経過時間を測定し、経過時間が予め定められた第１規定時間以上となったか否かを判定する（ステップＳ１２）。計時部５１１は、経過時間が第１規定時間未満であると判定した場合（ステップＳ１２：ＮＯ）、第１規定時間以上となるまで経過時間の測定を継続する。
【００２６】
他方、計時部５１１が、経過時間が第１規定時間以上であると判定した場合（ステップＳ１２：ＹＥＳ）、計時部５１１は、音量制御部５１２に時間経過通知を出力する。音量制御部５１２は、計時部５１１から時間経過通知を入力すると、音量情報を現在の着信音より大きい音量を示す情報に書き換え、当該音量情報を再生部５０３に出力する。そして、再生部５０３は、音量制御部５１２から入力した音量情報に従って、音量を増加させた着信音を示す電気信号を生成し、当該電気信号をスピーカ４００に出力する。これにより、スピーカ４００は、着信音の音量を増加させる（ステップＳ１３）。なお、音量制御部５１２は、第１規定時間の経過後、着信音の音量を予め定められた音量に一度に増加させても良いし、所定の時間の経過毎に着信音の音量を徐々に増加させるようにしても良い。
【００２７】
ここで、状態判定部５１０が着信音の聞き取りが困難な状態であると判定してから所定の時間の経過後に着信音の音量を増加させる理由を説明する。
移動中のユーザは、着信音の聞き取りが困難であるために携帯電話機１の着信に気づかないことが多いが、着信に気づき、速やかに対応できる場合もある。このとき、移動中であるという理由からすぐに着信音の音量を上げてしまうと、周囲の迷惑になりかねない。そこで、本実施形態のように、状態判定部５１０が着信音の聞き取りが困難な状態であると判定してから所定の時間の経過後に着信音の音量を増加させることで、ユーザが速やかに着信に気づいて対応する場合は、着信音の音量が小さいままとなり、ユーザが着信に気づかない場合に、着信音の音量を増加させることができる。
【００２８】
また、計時部５１１は、ステップＳ１２で経過時間が第１規定時間以上であると判定した後も経過時間の測定を継続し、経過時間が予め定められた第２規定時間以上となったか否かを判定する（ステップＳ１４）。計時部５１１は、経過時間が第２規定時間未満であると判定した場合（ステップＳ１４：ＮＯ）、第２規定時間以上となるまで経過時間の測定を継続する。
【００２９】
他方、計時部５１１が、経過時間が第２規定時間以上であると判定した場合（ステップＳ１４：ＹＥＳ）、計時部５１１は、着信音決定部５０２に時間経過通知を出力する。着信音決定部５０２は、計時部５１１から時間経過通知を入力すると、ＲＯＭ７００から、予め定められた「人間の耳に届きやすい着信音」の着信音データを読み出し、当該着信音データを再生部５０３に出力する。そして、再生部５０３は、着信音決定部５０２から入力した着信音データに従って電気信号を生成し、当該電気信号をスピーカ４００に出力する。これにより、スピーカ４００は、着信音を変更する（ステップＳ１５）。これにより、着信音を増加させてもユーザが着信に気づかない場合、着信音の種類を予め定められた人間の耳に届きやすい着信音に変更することで、ユーザに気づかれやすくすることができる。
【００３０】
このように、本実施形態によれば、携帯電話機１は、周囲音量が所定の音量閾値より大きく、かつ着信後に加速度が所定の加速度閾値を超えた回数が所定回数以上となったときに、着信音の音量を増加させる。これにより、携帯電話機１は、ユーザがある場に留まっているときには、着信音の音量を増加させず、ユーザが移動中であり、かつ雑音が多いときに、着信音の音量を増加させることができる。そのため、ユーザが着信音に気づきにくい場合に、着信に気づきやすくすることができる一方で、クラシックコンサートの視聴中など着信音を挙げるべきでない状況において着信音の音量が増加することを防ぐことができる。
【００３１】
また、本実施形態によれば、携帯電話機１は、周囲音量が所定の音量閾値より大きく、着信後に加速度が所定の加速度閾値を超えた回数が所定回数以上となったときであり、さらに明度が所定の明度閾値以下である場合に、着信音の音量を増加させる。これにより、携帯電話機１は、自装置がバッグやポケットの中に入っているときに、着信音の音量を増加させることができる。
【００３２】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、上述の携帯電話機１はＣＰＵ５００がＲＯＭ７００に記憶されたプログラムを実行することで各処理部として動作する場合を説明した。しかし、これに限られず、例えば、当該プログラムを通信回線によって携帯電話機１に配信し、この配信を受けた携帯電話機１のＣＰＵ５００が当該プログラムを実行するようにしても良い。
【００３３】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３４】
１…携帯電話機  １００…光センサ  ２００…マイク  ３００…加速度センサ  ４００…スピーカ  ５００…ＣＰＵ  ５０１…着信部  ５０２…着信音決定部（着信音変更部）  ５０３…再生部  ５０４…明度測定部  ５０５…明度判定部  ５０６…音量測定部  ５０７…音量判定部  ５０８…加速度測定部  ５０９…加速度判定部  ５１０…状態判定部  ５１１…計時部  ５１２…音量制御部  ６００…メモリ  ７００…ＲＯＭ
【図１】
2012065133.tif 000003
【図２】
2012065133.tif 000004
【図３】
2012065133.tif 000005